(57)【特許請求の範囲】
【請求項１】
ディスクエンクロージャ内にデータが記録された磁気ディスク媒体と該磁気ディスク媒体から読み出された信号を処理する回路の全てを閉じ込め、インタフェースのみによって前記磁気ディスク媒体から読み出された信号を取り出すことができ、前記磁気ディスク媒体からデータが読み出される度に、前記磁気ディスク媒体からデータ読み出しエラー発生の際のリトライ回数を減ずる手段を備えることを特徴とする磁気ディスク装置。
【請求項２】
請求項１に記載の磁気ディスク装置において、
第１の認証コードを記録した記録媒体と、
第２の認証コードを入力するインタフェースと、
前記第１の認証コードと第２の認証コードとを照合する照合手段と、
前記第１の認証コードと前記第２の認証コードが一致したときにのみ前記データを読み出して外部に出力する手段と、
を更に備えることを特徴とする磁気ディスク装置。
【請求項３】
請求項１又は２に記載の磁気ディスク装置において、
前記磁気ディスク媒体からデータが読み出される回数を制限する手段を更に備えることを特徴とする磁気ディスク装置。
【請求項４】
データが記録された磁気ディスク媒体と、
前記磁気ディスク媒体からデータが読み出される度に、前記磁気ディスク媒体からデータ読み出しエラー発生の際のリトライ回数を減ずる手段を備えることを特徴とする磁気ディスク装置。
【発明の詳細な説明】
【０００１】
【発明の属する技術分野】
本発明は磁気ディスクに関し、特にコピープロテクト機能を実現させるための磁気ディスクのハードウェア構成および回路構成の改良に関する。
【０００２】
【従来の技術】
コピープロテクト機能は、一般的に磁気ディスク自身には存在していない。従来プロテクト機能としては、回路基板上に実装されているスイッチあるいはジャンパにより、ライトプロテクトを実現する機能は存在していた。そのライトプロテクトの目的は、磁気ディスクが実地で故障して、メーカなどで、その故障した磁気ディスクからユーザデータを回復させる際に、誤って磁気ディスクに書き込みを行ってユーザデータを破壊することが無いようにすることである。一方、近年、磁気ディスクにデジタル高画質データを格納することが頻繁に行われつつある。
【０００３】
映画やビデオクリップ等のデジタル高画質データは、画像の劣化なしにコピーできてしまうので、デジタルコンテンツの著作権保護の観点から、デジタル高画質データのコピープロテクトの必要性が増している。この要請に応えるために、例えば、特開平１１−３０６６４８号公報（先行技術文献１）に、コピープロテクト機能付き情報記録媒体が開示されている。先行技術文献１に開示された技術は、所定の情報の記録を担う情報記録エリアと、コピーしようとするコピー装置に混乱を生じさせるトラップエリアを備え、光ディスクに記録された暗号化情報を含めて全情報をそっくりそのままコピーされるのを防止するものである。
【０００４】
また、特開昭６１−２０６９０５号公報（先行技術文献２）に、コピープロテクトコード付き磁気ディスクが開示されている。先行技術文献２に開示された方式は、（１）磁気ディスクを記録媒体として用いる磁気ディスク装置と、（２）乱数を発生し、その乱数を磁気ディスクに記録する手段を備えた磁気ディスク装置制御回路と、（３）磁気ディスク装置を記録装置として使用するホストシステムと、を備える。磁気ディスクは、（１−１）ホストシステムからの情報が記録される領域（情報領域）と、（１−２）磁気ディスク装置制御回路が発生した乱数が記録される領域（乱数領域）と、を備える。また、ホストシステムが磁気ディスクの情報領域に情報を記録する際に、磁気ディスク装置制御回路が乱数を乱数領域に同時に記録し、更に、記録終了後、乱数領域に記録された乱数を読み出して、情報領域とは別の情報領域（第２の情報領域）に読み出された乱数を記録する。そして、情報領域を磁気ディスクから読み出す際に、乱数領域を同時に読み出し、第２の情報領域に記録された乱数と読み出された乱数との対応を検証する。
【０００５】
【発明が解決しようとする課題】
ところが、先行技術文献１の技術は、トラップエリアを、データエリア内のデータを再生する通常の再生時には再生されない位置に配置することにより、ＲＦコピー（ディスクコピー）を実行しようとしたときに、トラップエリアの存在により、ディスクコピーが阻止されるようにしたものであるので、螺旋状にデータが書き込まれる光ディスクに限られるものである。従って、この従来技術は、トラックが同心円上に記録されている磁気ディスク（ハードディスクドライブ）には適用できない。
【０００６】
また、先行技術文献１の技術は、ディスクコピーコマンドによるコピーを禁止することはできるが、リードコマンドでデータを読み出して、読み出されたデータをライトコマンドでコピー先記録媒体に書き込めば容易にコピーが可能であるという問題を有する。
【０００７】
先行技術文献２の技術は、磁気ディスクのヘッド位置決め方式としてサーボ面サーボ方式を使用した磁気ディスクに適用されるものであり、現在多く使用されているデータ面サーボ方式を使用した磁気ディスクには適用できない。
【０００８】
また、先行技術文献２の技術は、プロテクトコードをチェックするプログラムであるチェックプログラムもデータといっしょにデータ領域に記録する方法をとる。この方法では、ＯＳが管理しているファイルシステムレベルでなく、１セクタ毎に、コピー元の磁気ディスクからデータを読み込んで、読み込まれたデータをコピー先記録媒体に書き込めば容易にコピーが可能である。
【０００９】
本発明の主な目的はコピープロテクト機能を実現したハードウェア構成および回路構成を備えた磁気ディスクを提供することにある。
【００１０】
【課題を解決するための手段】
本発明による磁気ディスク装置は、ディスクエンクロージャ内にデータが記録された磁気ディスク媒体と該磁気ディスク媒体から読み出された信号を処理する回路の全てを閉じ込め、インタフェースのみによって前記磁気ディスク媒体から読み出された信号を取り出すことができ、前記磁気ディスク媒体からデータが読み出される度に、前記磁気ディスク媒体からデータ読み出しエラー発生の際のリトライ回数を減ずる手段を備えることを特徴とする。
【００１１】
また、本発明による磁気ディスク装置は、上記の磁気ディスク装置において、第１の認証コードを記録した記録媒体と、第２の認証コードを入力するインタフェースと、前記第１の認証コードと第２の認証コードとを照合する照合手段と、前記第１の認証コードと前記第２の認証コードが一致したときにのみ前記データを読み出して外部に出力する手段と、を更に備えることを特徴とする。
【００１３】
更に、本発明による磁気ディスク装置は、上記の磁気ディスク装置において、前記磁気ディスク媒体からデータが読み出される回数を制限する手段を更に備えることを特徴とする。
【００１５】
更に、本発明による磁気ディスク装置は、データが記録された磁気ディスク媒体と、前記磁気ディスク媒体からデータが読み出される度に、前記磁気ディスク媒体からデータ読み出しエラー発生の際のリトライ回数を減ずる手段を備えることを特徴とする。
【００１７】
【発明の実施の形態】
本発明の上記および他の目的、特徴および利点を明確にすべく、以下添付した図面を参照しながら、本発明の実施の形態につき詳細に説明する。
【００１８】
本発明の磁気ディスク装置は、映画等のコンテンツのデジタル画像データが記録されており、テレビに接続されるドッキングステーション等の再生装置に挿入される。磁気ディスク装置と再生装置はＩＥＥＥ１３９４規格に準拠するインタフェースにより電気的に接続され、デジタル画像データは、そのインタフェースを介して磁気ディスク装置から再生装置に転送され、再生装置で復号された後に、テレビに転送される。
【００１９】
磁気ディスクには、レンタルショップ等で業務用の専用の記録装置でコンテンツのデジタル画像データが記録される。記録済みの磁気ディスクは、ユーザに貸与され、ユーザは自宅で再生装置で再生したコンテンツをテレビで視聴する。
【００２０】
従って、本発明の磁気ディスクは、ユーザが借りた磁気ディスクに記録されたコンテンツを不法にコピーすることを防止するものである。
【００２１】
図１は、本発明の実施形態による磁気ディスク１を示す。磁気ディスク１は、ディスクエンクロージャ２内に磁気ディスク媒体１１と、リードライトヘッド１２及びリードライトアンプ回路１３を有するアクチュエータ部１４と、スピンドルモータ１５と、スピンドルモータ１５を制御するスピンドルモータドライバ１６と、ＶＣＭドライバ１７と、リードライトチャネル回路１８と、ディスクコントローラ１９と、マイコン２０と、ＲＯＭ２１と、シリアルインタフェース回路２２を有し、外部接続用のインターフェースコネクタ２３のみがディスクエンクロージャ２の外部に位置する。
【００２２】
リードライトヘッド１２は、リードライトアンプ回路１３から入力したデータを磁気ディスク媒体１４のデータ領域１４Ｂ又はシステム領域１４Ａに記録し、磁気ディスク媒体１４から読み出したデータをリードライトアンプ回路１３に出力する。リードライトアンプ回路１３は、リードライトチャネル回路１８から入力したデータデータを等化、増幅してリードライトヘッド１２に出力し、リードライトヘッド１２により読み出されたデータを等化、増幅する。リードライトチャネル回路１８は、ディスクコントローラ１９から入力したデータを変調してリードライトアンプ回路１３に出力し、リードライトアンプ回路１３から入力したデータを復調してディスクコントローラ１９に出力する。ディスクコントローラ１９は、ＡＴＡ(AT Attachment)やＳＣＳＩ(Small Computer System Interface)準拠のインターフェースコントロールや磁気ディスク媒体１１のセクタ管理を行う。シリアルインタフェース回路２２は、ＩＥＥＥ１３９４やＵＳＢ(Universe Serial Bus)準拠のインターフェースコントロールを行う。
ＲＯＭ２１は、マイコン２０が後述する認証コードの照合等を行う手段として機能するためのプログラムを記憶する。
【００２３】
ディスクエンクロージャ２内は、それが開けられない限り、ダスト及びガス等の影響を受けない。
【００２４】
インタフェースがＩＥＥＥ１３９４規格に準拠する場合において、暗号化されたデジタル画像データが、インターフェースコネクタ２３を介してシリアルインタフェース回路２２に供給され、そこで復号化される。復号化されたデジタル画像データは、ディスクコントローラ１９に入力され、リードライトチャネル１８、リードライトアンプ回路１３を介して、リードライトヘッド１２に供給され、磁気ディスク媒体１１のデータ領域１４Ｂに記録される。
【００２５】
上位コントローラ１０１からインターフェースコネクタ２３を介してリード命令を入力した場合、画像データは、ディスクエンクロージャ２内の磁気ディスク媒体１１のデータ領域１４Ｂからリードライトヘッド１２により読み出され、リードライトアンプ回路１３、リードライトチャネル回路１８、ディスクコントローラ１９を通り、シリアルインタフェース回路２２で暗号化され、インターフェースコネクタ２３から出力される。
【００２６】
図２は、マイコン２０がＲＯＭ２１に記憶されている認証プログラムにより制御されたときの動作を示す。
【００２７】
認証コードは、マイコン２０がアクセス可能かつユーザが使用できないデータ格納領域、例えば磁気ディスク媒体１１上のシステム領域１４Ａまたは不揮発性メモリ（不図示）に前もって書き込まれている。
【００２８】
マイコン２０は、認証プログラムにより制御されたとき、上位コントローラ１０１との間で認証を行い、認証が成功したときのみ、コンテンツのデジタル画像データの読み出し、書き込みを可能とする。
【００２９】
以下、本実施の形態の動作を図２を参照して説明する。ここで、外部バス１００がＩＥＥＥ１３９４規格に準拠したものであるとする。
【００３０】
まず、磁気ディスク１に電源が投入されたら、システム領域１４Ａに書き込まれている認証コードを読み出す（ステップ３０１）。次に、上位コントローラ１０１から暗号化された認証コードを外部バス１００を介して入力する。シリアルインタフェース回路２２は、暗号化された認証コードを復号化して、復号化された認証コードをディスクコントローラ１９に出力する（ステップ３０２）。マイコン２０はシステム領域１４Ａから読み出した認証コードと復号された認証コードを照合する（ステップ３０３）。ステップ３０３で、両方の認証コードが一致した場合、その後の読み出し命令または書き込み命令を受け付けるようになる（ステップ３０４）。不一致の場合、その後の読み出し命令または書き込み命令は受け付けなくなる（ステップ３０５）。
【００３１】
次に、再生回数によって画像を劣化させるための動作は、図３のフローチャート図に示すステップを有する。この動作もマイコン２０がＲＯＭ２１に記憶されている制御プログラムを実行することにより実現される。磁気ディスク媒体１１のデータ領域１４Ｂにコンテンツのデジタル画像データを書き込むのと同時に、デジタル画像データの再生時におけるリードエラー発生の際のリトライ回数を初期化する（ステップ４０１）。次に、再生を始めるのに際し、まず何回目の再生かを判断する（ステップ４０２）。１回目の再生（ステップ４０３）であれば、リードエラー発生時のリトライは最大で初期化された回数だけ実行される（ステップ４０４）。２回目の再生（ステップ４０５）であれば、リードエラー発生時のリトライは最大で初期化された回数に１減じた回数だけ実行される（ステップ４０６）。３回目以降の再生についても、最大リトライ回数を減じていく。また、再生後には、再生回数をインクリメントして所定の記録場所（例えば、システム領域１４Ａ）に記録する（ステップ４０７）。
【００３２】
前記リトライ回数は、識別コードであってもよい。また、再生を制限することも可能である。例えば、２回目の再生まで可能な磁気ディスクを必要とした場合、２回目の再生が終了した後のステップ４０７で、再生不可コードを記録し、次に再生をしようとする際に、ステップ４０２を実行する時点で、再生不可コードが記録されていることが判定されたならば、再生を行わないようにする。
【００３３】
従って、再生の回数によってリトライ回数を減じることで、アナログＶＴＲの画像の再生回数増大に伴う画質劣化と同様な効果を実現することが可能となる。また、規定再生回数した後に強力なコピープロテクト機能を実現することが可能となる。
【００３４】
なお、図２及び図３のフローチャート図に示す動作は、図４の一般的な磁気ディスク１Ｂに適用しても効果は得られる。図４の磁気ディスク１Ｂでは、磁気ディスク１１、リードライトヘッド１２、リードライトアンプ回路１３のみがディスクエンクロージャ２Ｂに入れられ、スピンドルモータドライバ１６、ＶＣＭドライバ１７、リードライトチャネル回路１８、ディスクコントローラ１９、マイコン２０、ＲＯＭ２１は、ディスクエンクロージャ２Ｂには入れられない。
【００３５】
【発明の効果】
以上説明したように、本発明によれば、ディスクエンクロージャ内にデータが記録された磁気ディスク媒体と該磁気ディスク媒体から読み出された信号を処理する回路の全てを閉じ込めているので、マニアなどが、回路にプローブを当てたりして回路から読み出された信号を取り出して不法にコピーすることを防止することができる。もし、ディスクエンクロージャを開けて回路にプローブを当てて信号を読み出そうとすると、磁気ディスクやリードライトヘッドがダスト及びガスにさらされて、リードエラーが発生し、正しいデータを読み出すことが出来なくなる。
【００３６】
また、本発明によれば、磁気ディスク装置に記録されている認証コードと外部から入力した認証コードが一致したときにのみデータを読み出して外部に出力するので、正規な認証コードを外部から磁気ディスク装置に供給する再生装置のみがデータを再生することができる。従って、そのような再生装置が供給された者のみがデータを再生することができ、他の者がデータを再生することができず、よって、不法なコピーを防止することができる。
【００３７】
更に、本発明によれば、読出エラーが発生した際の最大リトライ回数を再生する度に減じているので、複数回のコピーをおこなった場合に、次第に再生データのエラーレートが増大し、コピー先のデータの品質が劣化する。従って、多数のコピーを作成することを防止することができる。
【００３８】
更に、本発明によれば、再生回数を制限しているので、多数のコピーを作成することを防止することができる。
【図面の簡単な説明】
【図１】本発明の実施形態による磁気ディスクの構成を示す概念図である。
【図２】本発明の実施形態による認証コードの照合の動作を示すフローチャートである。
【図３】本発明の実施形態による再生回数が増える度にリトライ回数を減らすための動作を示すフローチャートである。
【図４】本発明の他の実施形態による実施形態による磁気ディスク装置の構成を示す概念図である。
【符号の説明】
１、１Ｂ  磁気ディスク
２、２Ｂ  ディスクエンクロージャ
１１  磁気ディスク媒体
１２  リードライトヘッド
１３  リードライトアンプ回路
１４Ａ  システム領域
１４Ｂ  データ領域
１５  スピンドルモータ
１６  スピンドルモータドライバ
１７  ＶＣＭドライバ
１８  リードライトチャネル回路
１９  ディスクコントローラ
２０  マイコン
２１  ＲＯＭ
２３  インタフェースコネクタ
１００  外部バス
１０１  上位コントローラ
【図１】
0003807657.tif 000002
【図２】
0003807657.tif 000003
【図３】
0003807657.tif 000004
【図４】
0003807657.tif 000005